(57)【特許請求の範囲】
【請求項１】
複数のユーザに利用され、情報の記憶が可能な可搬媒体と、前記可搬媒体に記憶された情報を用いて前記ユーザの認証を行う認証装置とを備えた認証システムであって、
前記可搬媒体は、
当該可搬媒体に予め付与される識別情報に対応付けて、前記複数のユーザのそれぞれを認証する基準となる複数の認証基準情報をユーザ毎に予め記憶するユーザ情報記憶部を備え、
前記認証装置は、
前記可搬媒体に付与された前記識別情報に対応付けて、当該可搬媒体を用いた認証が無効であるか否かを示す情報を予め記憶する識別情報記憶部と、
前記ユーザからの認証情報の入力を受け付ける認証情報入力部と、
前記可搬媒体に記憶された前記識別情報と一致する識別情報が、前記識別情報記憶部に無効を示す情報に対応付けられて記憶されている場合、認証を許可しないと判定し、前記可搬媒体に記憶された前記識別情報と一致する識別情報が、前記識別情報記憶部に無効を示す情報に対応付けられて記憶されていない場合、前記認証情報入力部に入力される前記認証情報と、前記ユーザ情報記憶部に記憶された前記複数の前記認証基準情報のそれぞれとを比較し、前記ユーザの認証を許可するか否かを判定する認証処理部と、
前記認証処理部によって、前記ユーザの認証を許可すると判定された場合に、当該認証を許可すると判定された前記認証基準情報を認証履歴情報として記憶する認証履歴情報記憶部と、
を備えることを特徴とする認証システム。
【請求項２】
前記認証装置の認証処理部は、前記認証情報入力部に入力される前記認証情報と、前記ユーザ情報記憶部に記憶された複数の前記認証基準情報のそれぞれとを順次比較する際、前記認証履歴情報記憶部に記憶された前記認証履歴情報と一致する前記認証基準情報を始めとして、順次それぞれの前記認証基準情報と前記認証情報とを比較する
ことを特徴とする請求項１に記載の認証システム。
【請求項３】
前記可搬媒体は、
前記ユーザ情報記憶部に記憶された前記複数の認証基準情報のうち、予め定められた認証基準情報に対応する前記ユーザの認証が許可された場合に、前記ユーザ情報記憶部への前記認証基準情報の追加書き込みを可能とする
ことを特徴とする請求項１または請求項２に記載の認証システム。
【請求項４】
可搬媒体に予め付与される識別情報に対応付けて、複数のユーザのそれぞれを認証する基準となる複数の認証基準情報をユーザ毎に予め記憶するユーザ情報記憶部を有する前記可搬媒体と、当該可搬媒体に記憶された情報を用いて前記ユーザの認証を行う認証装置とを備えた認証システムにおける前記認証装置であって、
前記可搬媒体に付与された前記識別情報に対応付けて、当該可搬媒体を用いた認証が無効であるか否かを示す情報を予め記憶する識別情報記憶部と、
前記ユーザからの認証情報の入力を受け付ける認証情報入力部と、
前記可搬媒体に記憶された前記識別情報と一致する識別情報が、前記識別情報記憶部に無効を示す情報に対応付けられて記憶されている場合、認証を許可しないと判定し、前記可搬媒体に記憶された前記識別情報と一致する識別情報が、前記識別情報記憶部に無効を示す情報に対応付けられて記憶されていない場合、前記認証情報入力部に入力される前記認証情報と、前記ユーザ情報記憶部に記憶された前記複数の前記認証基準情報のそれぞれとを比較し、前記ユーザの認証を許可するか否かを判定する認証処理部と、
前記認証処理部によって、前記ユーザの認証を許可すると判定された場合に、当該認証を許可すると判定された前記認証基準情報を認証履歴情報として記憶する認証履歴情報記憶部と、
を備えることを特徴とする認証装置。
【請求項５】
可搬媒体に予め付与される識別情報に対応付けて、複数のユーザのそれぞれを認証する基準となる複数の認証基準情報をユーザ毎に予め記憶するユーザ情報記憶部を有する前記可搬媒体に付与された前記識別情報に対応付けて、当該可搬媒体を用いた認証が無効であるか否かを示す情報を予め記憶する識別情報記憶部を有する認証装置の認証方法であって、
認証情報入力部が、前記ユーザからの認証情報の入力を受け付けるステップと、
認証処理部が、前記可搬媒体に記憶された前記識別情報と一致する識別情報が、前記識別情報記憶部に無効を示す情報に対応付けられて記憶されている場合、認証を許可しないと判定し、前記可搬媒体に記憶された前記識別情報と一致する識別情報が、前記識別情報記憶部に無効を示す情報に対応付けられて記憶されていない場合、前記認証情報入力部に入力される前記認証情報と、前記ユーザ情報記憶部に記憶された前記複数の前記認証基準情報のそれぞれとを比較し、前記ユーザの認証を許可するか否かを判定するステップと、
認証履歴情報記憶部が、前記認証処理部によって、前記ユーザの認証を許可すると判定された場合に、当該認証を許可すると判定された前記認証基準情報を認証履歴情報として記憶するステップと、
を備えることを特徴とする認証方法。
【発明の詳細な説明】
【技術分野】
【０００１】
本発明は、可搬媒体に予め記憶された情報に基づいてユーザ認証を行う認証システム、可搬媒体、認証装置および認証方法に関する。
【背景技術】
【０００２】
従来、ＩＣカードなどの可搬媒体に予めユーザ情報を記憶させ、ユーザが携行するその可搬媒体を用いてユーザの認証を行う技術が利用されている。例えば、オフィスビルなどの入退室管理のために、そのオフィスビルの入り口に認証装置を設けたセキュリティゲートを設置し、各ユーザに、予め採取した各ユーザの指紋情報などの認証基準情報を予め記憶させたＩＣカードを配布する。そして、ユーザがセキュリティゲートを通行する際には、配布されたＩＣカードを認証装置に近接させ、また所定の指紋読み取り装置に指を近接させると、指紋読み取り装置が指紋情報を読み取る。認証装置は、ユーザから読み取った指紋情報と、ＩＣカードに予め記憶された認証基準情報とが一致すれば、認証許可としてゲートを開け、一致しなければ、認証拒否としてゲートを開けない。ここで、ユーザが通行する際に認証装置に入力する情報は、指紋情報などの生体情報の他に、ＰＩＮ（Personal Identification Number）などのパスワード情報を用いる場合もある。
【０００３】
また、このようなＩＣカードには、ユーザに対応する認証基準情報を記憶させておく他に、例えばＩＣカードの紛失届けがあった場合のために、そのＩＣカード自体による認証が有効であるか否かを識別するための識別情報が記憶されている。図７は、ＩＣカードが記憶する識別情報と認証基準情報とを記憶するデータ例を示す図である。例えば、システム管理者は、ＩＣカードの紛失届けがあった場合には、紛失したＩＣカードに付与された識別情報を認証装置に登録し、認証装置は、登録された識別情報に対応する紛失したＩＣカードによる認証を拒否して通行を禁止するなどの措置を取れるように構成される。
【０００４】
また、認証機能を提供するＩＣカードとして、特許文献１に示される発明は、ＩＣカードが適用されるクレジットカードについて、ユーザが複数のクレジットカードを携行する場合にいずれのクレジットカードを利用するのが適切か判断できないことに着目している。そこで、特許文献１には、１枚のＩＣカードに複数のクレジットカード機能を備えさせ、ＩＣカードに記憶されたカード利用情報に基づいて、複数のクレジットカードのうち利用を推奨するクレジットカードをユーザに提示する技術が提案されている。
また、特許文献２には、複数の認証情報によってユーザを認証する必要がある場合、ユーザが複数のＩＣカードを携行する管理の煩雑さを防ぐために、１枚のＩＣカードに複数の認証情報を記憶させ、場面に応じた適切な認証情報を選択することを容易にする技術が提案されている。
また、特許文献３には、複数のシステムを同一のＩＣカードを用いて利用しようとする場合に、ＩＣカード自体にセキュリティ認証機能を備えさせることによって、予めＩＣカードに記憶された情報を外部に出力することなく、複数のシステムに利用可能で、かつセキュリティレベルの高い認証を行うことを可能とする技術が提案されている。
【特許文献１】特開２００７−２７２７２８号公報
【特許文献２】特開２００６−７９５９２号公報
【特許文献３】特開２００６−２６８５７０号公報
【発明の開示】
【発明が解決しようとする課題】
【０００５】
しかしながら、上述のような方法では、複数のユーザのそれぞれに対して少なくとも１枚のＩＣカードを配布する必要がある。ここで、例えば、オフィスビルのセキュリティゲートは、そのオフィスビルに勤務するためにＩＣカードを随時携行する正社員の他に、配達業者やオフィス機器の保守業者など、不定期または定期的に来館するユーザの認証を行う場合がある。特に近年では、情報漏洩の防止対策等の必要性により、このようなユーザに対しても正社員同様のセキュリティチェックを実施し、入退室の履歴を記録することが望ましい。このような場合、上述の方法を適用すれば、まれにしか来館しないユーザに対しても対応するＩＣカードをそれぞれに発行しなければならない。これでは、発行するＩＣカードの管理が煩雑になるとともに、発行するＩＣカード媒体の量も多くなる。
また、業者などの組織単位に予めＩＣカードを複数枚まとめて貸し出して行う認証では、いずれの組織に貸し出したＩＣカードにより認証が行われたかを識別することはできるが、その組織に属するいずれの人物に利用されたかを識別することはできない。
【０００６】
本発明は、このような状況に鑑みてなされたもので、認証が必要な複数のユーザのそれぞれにカード媒体を発行せずとも、適宜それぞれのユーザの認証を行うことを可能とする認証システム、可搬媒体、認証装置および認証方法を提供する。
【課題を解決するための手段】
【０００７】
上述した課題を解決するために、本発明は、複数のユーザに利用され、情報の記憶が可能な可搬媒体と、可搬媒体に記憶された情報を用いてユーザの認証を行う認証装置とを備えた認証システムであって、可搬媒体は、可搬媒体に予め付与される識別情報に対応付けて、複数のユーザのそれぞれを認証する基準となる複数の認証基準情報をユーザ毎に予め記憶するユーザ情報記憶部を備え、認証装置は、可搬媒体に付与された識別情報に対応付けて、可搬媒体を用いた認証が無効であるか否かを示す情報を予め記憶する識別情報記憶部と、ユーザからの認証情報の入力を受け付ける認証情報入力部と、可搬媒体に記憶された識別情報と一致する識別情報が、識別情報記憶部に無効を示す情報に対応付けられて記憶されている場合、認証を許可しないと判定し、可搬媒体に記憶された識別情報と一致する識別情報が、識別情報記憶部に無効を示す情報に対応付けられて記憶されていない場合、認証情報入力部に入力される認証情報と、ユーザ情報記憶部に記憶された複数の認証基準情報のそれぞれとを比較し、ユーザの認証を許可するか否かを判定する認証処理部と、認証処理部によって、ユーザの認証を許可すると判定された場合に、認証を許可すると判定された認証基準情報を認証履歴情報として記憶する認証履歴情報記憶部と、を備えることを特徴とする。
【０００９】
また、本発明は、認証装置の認証処理部が、前記認証情報入力部に入力される前記認証情報と、前記ユーザ情報記憶部に記憶された複数の前記認証基準情報のそれぞれとを順次比較する際、前記認証履歴情報記憶部に記憶された前記認証履歴情報と一致する前記認証基準情報を始めとして、順次それぞれの前記認証基準情報と前記認証情報とを比較することを特徴とする。
【００１０】
また、本発明は、上述の可搬媒体は、ユーザ情報記憶部に記憶された複数の認証基準情報のうち、予め定められた認証基準情報に対応するユーザの認証が許可された場合に、ユーザ情報記憶部への認証基準情報の追加書き込みを可能とすることを特徴とする。
【００１２】
また、本発明は、可搬媒体に予め付与される識別情報に対応付けて、複数のユーザのそれぞれを認証する基準となる複数の認証基準情報をユーザ毎に予め記憶するユーザ情報記憶部を有する可搬媒体と、可搬媒体に記憶された情報を用いてユーザの認証を行う認証装置とを備えた認証システムにおける認証装置であって、可搬媒体に付与された識別情報に対応付けて、可搬媒体を用いた認証が無効であるか否かを示す情報を予め記憶する識別情報記憶部と、ユーザからの認証情報の入力を受け付ける認証情報入力部と、可搬媒体に記憶された識別情報と一致する識別情報が、識別情報記憶部に無効を示す情報に対応付けられて記憶されている場合、認証を許可しないと判定し、可搬媒体に記憶された識別情報と一致する識別情報が、識別情報記憶部に無効を示す情報に対応付けられて記憶されていない場合、認証情報入力部に入力される認証情報と、ユーザ情報記憶部に記憶された複数の認証基準情報のそれぞれとを比較し、ユーザの認証を許可するか否かを判定する認証処理部と、認証処理部によって、ユーザの認証を許可すると判定された場合に、認証を許可すると判定された認証基準情報を認証履歴情報として記憶する認証履歴情報記憶部と、を備えることを特徴とする。
【００１３】
また、本発明は、可搬媒体に予め付与される識別情報に対応付けて、複数のユーザのそれぞれを認証する基準となる複数の認証基準情報をユーザ毎に予め記憶するユーザ情報記憶部を有する可搬媒体に付与された識別情報に対応付けて、可搬媒体を用いた認証が無効であるか否かを示す情報を予め記憶する識別情報記憶部を有する認証装置の認証方法であって、認証情報入力部が、ユーザからの認証情報の入力を受け付けるステップと、認証処理部が、可搬媒体に記憶された識別情報と一致する識別情報が、識別情報記憶部に無効を示す情報に対応付けられて記憶されている場合、認証を許可しないと判定し、可搬媒体に記憶された識別情報と一致する識別情報が、識別情報記憶部に無効を示す情報に対応付けられて記憶されていない場合、認証情報入力部に入力される認証情報と、ユーザ情報記憶部に記憶された複数の認証基準情報のそれぞれとを比較し、ユーザの認証を許可するか否かを判定するステップと、認証履歴情報記憶部が、認証処理部によって、ユーザの認証を許可すると判定された場合に、認証を許可すると判定された認証基準情報を認証履歴情報として記憶するステップと、を備えることを特徴とする。
【発明の効果】
【００１４】
以上説明したように、本発明によれば、可搬媒体は、複数のユーザのそれぞれを認証する基準となる複数の認証基準情報を予め記憶し、認証装置は、ユーザから入力される認証情報と、予め記憶された認証基準情報とを比較し、ユーザの認証を許可するか否かを判定するようにしたので、一個の可搬媒体を用いて、複数のユーザの認証を行うことができ、認証を行ったユーザを識別することができる。
【００１５】
また、本発明によれば、可搬媒体は、可搬媒体に予め付与される識別情報に対応付けて、複数のユーザに対応する認証基準情報を記憶し、認証装置は、可搬媒体に付与された前記に対応付けて、当該可搬媒体を用いた認証が無効であるか否かを示す識別情報を予め記憶し、認証する可搬媒体に記憶された識別情報が、無効を示す情報に対応付けられて記憶されている場合、認証を許可しないと判定するようにしたので、可搬媒体に複数のユーザに対応する認証基準情報が記憶されている場合でも、識別情報を無効と定めることで、無効と定められた識別情報を有する可搬媒体による認証を拒否することができる。
【００１６】
また、本発明によれば、ユーザの認証を許可すると判定した場合に、認証を許可した認証基準情報を認証履歴情報として記憶し、入力される認証情報と、予め記憶された複数の認証基準情報のそれぞれとを順番に比較する際、認証履歴情報と一致する認証基準情報を始めとして順次それぞれの認証基準情報と比較するようにしたので、過去に認証が許可された認証基準情報を優先して比較処理を行うことができる。これにより、例えば、利用される頻度が高く一致する可能性が高いと思われる認証基準情報から順次比較処理を行うことができ、認証を許可すると判定する場合に、その判定を許可するまでの処理を早く行うことが可能となる。
【００１７】
また、本発明によれば、ユーザ情報記憶部に記憶された複数の認証基準情報のうち、予め定められた認証基準情報に対応するユーザの認証が許可された場合に、ユーザ情報記憶部への認証基準情報の追加書き込みを可能とするようにしたので、例えば特定の組織に可搬媒体を提供する際、その組織の信頼できる管理者の認証が許可された場合に、その管理者にユーザ情報記憶部への認証基準情報の追加書き込みを行う権限を与えて、その可搬媒体に記憶される認証基準情報の管理を、その管理者に委譲するような運営を行うことが可能となる。
【発明を実施するための最良の形態】
【００１８】
以下、本発明の一実施形態について、図面を参照して説明する。
図１は、本実施形態による認証システムの構成を示すブロック図である。
本実施形態の認証システムは、ＩＣカード１００と、認証装置２００と、ゲート３００とを備えている。
ＩＣカード１００は、情報の記憶や演算を行う機能を備えたＩＣチップが組み込まれた可搬媒体であり、ユーザ情報記憶部１１０と、ＩＣカード通信部１２０とを備えている。ここで、可搬媒体は、持ち運び可能な情報処理媒体である。
ユーザ情報記憶部１１０は、ＩＣカード１００に付与された識別情報に対応付けて、複数のユーザ情報を記憶する。図２は、ユーザ情報記憶部１１０が記憶する情報のデータ例を示す図である。図２に示されるように、ユーザ情報記憶部１１０は、ひとつの識別情報に対応付けて、氏名と、所属と、認証基準情報とのユーザ情報を記憶する。識別情報は、複数枚存在するＩＣカード１００のうちで一意に付与される。ユーザがＩＣカード１００を紛失した場合などには、紛失されたＩＣカード１００の識別情報を有するＩＣカード１００による認証を無効とすることで、例えば、紛失されたＩＣカード１００が拾われ、第三者が認証に利用しようとした場合でも、その認証を拒否することが可能である。
【００１９】
また、ユーザ情報のうち、氏名は、ユーザの氏名である。所属は、例えば、そのユーザの所属を示す情報である。例えば、ＩＣカード１００を特定の会社に属するユーザに配布する場合には、その会社内でのそのユーザの所属や所属場所を示す情報が適用される。認証基準情報は、予め定められたＰＩＮなどのパスワード情報や、ユーザから予め採取されデジタル情報化された指紋情報、虹彩情報、静脈情報などの生体情報であり、認証処理を行う際に認証テンプレートとして利用される。本実施形態では、認証基準情報には指紋情報が適用される。
【００２０】
このように、本実施形態では、一枚のＩＣカード１００に、ひとつの識別情報に対応付けた複数のユーザ情報が記憶される。このようにして、例えば配達業者のように、派遣元は同一のユーザではあるが時によって異なるユーザが来館するような場合、来館する可能性のある全てのユーザのそれぞれに一枚ずつＩＣカード１００を発行せずとも、例えば、一度に来館する人数に応じた枚数のＩＣカード１００を発行しておけば良い。この場合、複数のユーザは一枚のＩＣカード１００を共有して利用することができる。図１には、一枚のＩＣカード１００が図示されているが、このように必要となる複数枚を用意しても良い。
【００２１】
ＩＣカード通信部１２０は、認証装置２００との情報通信を行う。本実施形態では、ＩＣカード通信部１２０は、認証装置２００と非接触の無線通信を行うこととし、ＩＣカード１００は非接触型のＩＣカードであることとするが、ＩＣカード１００は、接触型のＩＣカードを適用しても良い。
【００２２】
ゲート３００は、ＩＣカード１００と認証装置２００とによってユーザの通行が管理されるセキュリティエリアの入り口に設けられるセキュリティゲートである。ゲート３００は、認証装置２００が行う認証処理の結果によって開閉するフラップを有しており、ユーザの認証が許可されると、フラップを開けてユーザの通行を可能とし、認証が拒否されれば、フラップを閉じてユーザを通行させないように動作する。
【００２３】
認証装置２００は、ＩＣカード１００から読み出した情報に基づいてユーザの認証処理を行う。認証装置２００は、認証装置通信部２１０と、認証処理部２２０と、認証情報入力部２３０と、認証履歴記憶部２４０と、識別情報記憶部２５０とを備えている。
認証装置通信部２１０は、ＩＣカード１００のＩＣカード通信部１２０と無線通信を行う。
認証情報入力部２３０は、ユーザからの認証情報の入力を受け付ける。本実施形態では、認証情報入力部２３０は、ユーザが指を近接させることでユーザの指紋情報を読み取る指紋センサを備えており、指紋センサが読み取った指紋情報をデジタル情報化した認証情報を取得する。
認証履歴記憶部２４０は、認証処理部２２０によって認証が許可された認証情報に対応する認証基準情報を示す情報を認証履歴情報として記憶する。
【００２４】
識別情報記憶部２５０は、複数のＩＣカード１００のそれぞれに付与される識別情報に対応付けて、その識別情報が付与されたＩＣカード１００が無効であるか否かを示す識別情報を記憶する。例えば、認証システムの管理者は、ＩＣカード１００を配布したユーザから、ＩＣカード１００を紛失した連絡を受けると、紛失したＩＣカード１００に付与された識別情報を無効とする情報に対応付けて認証装置２００の識別情報記憶部２５０に記憶させる。識別情報記憶部２５０に記憶された識別情報は、後述する認証処理部２２０によって読み出され、無効となった識別情報を有するＩＣカード１００の認証を許可しないように制御される。ここで、識別情報記憶部２５０は、発行された全ての認証情報に対応付けて、有効か無効かを示す情報を記憶しても良いし、無効となった識別情報のみを記憶し、識別情報記憶部２５０に識別情報が記憶されていれば、無効であることを示すように構成しても良い。
【００２５】
認証処理部２２０は、認証装置通信部２１０を介して、ＩＣカード１００に記憶された識別情報を読み出し、読み出した識別情報と同一の識別情報が、識別情報記憶部２５０に無効を示す情報に対応付けられて記憶されているか否かを判定する識別情報判定処理を行う。ここで、認証処理部２２０は、ＩＣカード１００から読み出した識別情報と同一の識別情報が、識別情報記憶部２５０に無効を示す情報に対応付けられて記憶されていれば、認証を終了する。一方、認証処理部２２０は、ＩＣカード１００から読み出した識別情報と同一の識別情報が、識別情報記憶部２５０に無効を示す情報に対応付けられて記憶されていなければ、有効と判定する。
【００２６】
また、認証処理部２２０は、ＩＣカード１００に記憶された識別情報を有効と判定すれば、認証情報を用いた認証処理を行う。認証処理では、認証処理部２２０は、認証装置通信部２１０を介してＩＣカード１００から読み出した複数の認証基準情報のそれぞれと、認証情報入力部２３０に入力された認証情報とを比較する。また、認証処理部２２０は、予め定められた閾値を超えて認証情報と一致する認証基準情報が存在した場合に、認証許可と判定する。また、認証処理部２２０は、予め定められた閾値を超えて認証基準情報と認証情報とが一致しない場合に、認証拒否と判定する。
【００２７】
ここで、認証処理部２２０が行う認証基準情報と認証情報との比較処理は、その一致する度合いを演算するものであり、本実施形態のようにＩＣカード１００から読み出した複数の認証基準情報のそれぞれと認証情報との比較処理を行うのは演算部に高い負荷をかけ、処理時間も長くなる場合がある。そこで、本実施形態における認証処理部２２０は、認証履歴記憶部２４０に記憶された認証履歴情報を参照して、認証が許可された頻度の多い認証基準情報から優先して認証処理を行う。
【００２８】
次に、図３を参照して、本実施形態による認証システムが、ユーザの認証処理を行う動作例を説明する。
ここで、予めユーザの指紋情報が採取され、デジタル化された指紋情報である認証基準情報が記憶されたＩＣカード１００が、ユーザに配布されているものとする。ユーザは、ゲート３００を通行する際、ＩＣカード１００に設置された認証装置２００にＩＣカード１００を近接させる。ＩＣカード１００が認証装置２００と通信可能な領域内に入ると、ＩＣカード１００のＩＣカード通信部１２０は、ユーザ情報記憶部１１０に記憶された識別情報を読み出し、認証装置２００に送信する（ステップＳ１）。
【００２９】
認証装置２００の認証装置通信部２１０が、ＩＣカード１００から送信される識別情報を受信すると、認証処理部２２０は、識別情報記憶部２５０に記憶された情報を参照して識別情報判定処理を行う（ステップＳ２）。そして、認証処理部２２０が、ＩＣカード１００から送信された識別情報を無効と判定すれば（ステップＳ２−無効）、認証装置２００は、認証処理を終了する（ステップＳ３）。この場合、ゲート３００は開かない。
【００３０】
一方、ステップＳ２で、認証処理部２２０が、ＩＣカード１００から送信される識別情報を有効と判定すれば、認証装置２００の認証装置通信部２１０は、有効を示す情報をＩＣカード１００に送信する（ステップＳ２−有効）。ＩＣカード１００が、認証装置通信部２１０から、有効を示す情報を受信すると、ＩＣカード通信部１２０は、ユーザ情報記憶部１１０に記憶された複数の認証基準情報を、認証装置２００に送信する（ステップＳ４）。
【００３１】
認証装置２００の認証装置通信部２１０が、ＩＣカード１００から送信された認証基準情報を受信すると、認証情報入力部２３０は、ユーザからの認証情報の入力を受け付ける。ユーザが、指を認証情報入力部２３０に近接させると、認証情報入力部２３０は、ユーザの指紋情報を取得し、取得した指紋情報を認証情報としてデジタル情報化する（ステップＳ５）。そして、認証処理部２２０は、ステップＳ４でＩＣカード１００から受信した複数の認証基準情報と、ステップＳ５で認証情報入力部２３０に入力された認証情報とを比較する認証処理を行う（ステップＳ６）。ここで、認証処理部２２０は、認証履歴記憶部２４０から読み出した認証履歴情報を参照して、ＩＣカード１００から受信した複数の認証基準情報のうち、認証の頻度の高い認証基準情報から、順次、認証情報との比較処理を行う。
【００３２】
そして、認証処理部２２０は、ＩＣカード１００から受信した認証基準情報のうち、認証情報入力部２３０に入力された認証情報と定められた閾値を超えて一致する認証基準情報がなければ、認証拒否と判定し（ステップＳ６−拒否）、認証装置２００は、認証処理を終了する（ステップＳ７）。この場合、ゲート３００は開かない。一方、ステップＳ６で、認証処理部２２０がＩＣカード１００から受信した認証基準情報のうち、認証情報入力部２３０に入力された認証情報と定められた閾値を超えて一致する認証基準情報があれば、認証許可と判定する（ステップＳ６−許可）。
そして、認証処理部２２０は、ステップＳ６で認証許可と判定された認証基準情報を、認証履歴情報として認証履歴記憶部２４０に記憶させる（ステップＳ８）。そして、認証処理部２２０が認証許可と判定すると、認証装置２００は、ゲート３００を開く（ステップＳ９）。
【００３３】
なお、上述の例では、認証処理部は、認証装置２００に設けられることとしたが、このような認証処理部は、ＩＣカード１００が備えることとしても良い。図４は、認証処理部をＩＣカード１００に設けた場合の認証システムの構成例を示す図である。ここで、図１に示した例と同様の構成については、同様の符号を付し、その説明を省略する。ＩＣカード１００は、認証処理部１３０をさらに備える。
【００３４】
図４に示す認証システムにおける識別情報判定処理では、認証装置通信部２１０が、識別情報記憶部２５０から読み出した識別情報をＩＣカード１００に送信する。ＩＣカード１００のＩＣカード通信部１２０が、認証装置２００から送信される識別情報を受信すると、認証処理部１３０は、識別情報判定処理を行う。認証処理部１３０が、識別情報判定処理において有効と判定すれば、ＩＣカード通信部１２０は、認証装置２００の認証情報入力部２３０にユーザから入力された認証情報と、認証履歴記憶部２４０に記憶された認証履歴情報とを受信する。そして、認証処理部１３０は、ＩＣカード通信部１２０が受信した認証情報および認証履歴情報と、ユーザ情報記憶部１１０から読み出した認証基準情報とを用いて、認証処理を行う。ＩＣカード１００の認証処理部１３０が、認証許可と判定すれば、ＩＣカード通信部１２０は、認証許可を示す情報を認証装置２００に送信し、認証装置２００は、ゲート３００を開く。
【００３５】
また、ユーザ情報記憶部１１０は、図５に示すように、ユーザ情報毎に識別情報を記憶させることとしても良い。この場合、認証システムとして管理する識別情報の量が、図２の例と比べて多くなるために、図２の例の方がより効率良く認証処理を行うことができるが、ユーザ毎に有効無効の設定を行うことができる。
また、ユーザ情報記憶部１１０は、図６に示すように、図５に示したデータ例に加えて、全てのユーザ情報に共通するカードシリアル番号を記憶することとしても良い。このようにして、識別情報をカードシリアル番号に対応付けて管理しておけば、例えばＩＣカード１００を紛失した際などに、紛失したカードシリアル番号に対応する複数の識別情報を全て無効とすることができ、複数の識別情報を一括して管理することが可能となる。
【００３６】
また、ユーザ情報記憶部１１０に記憶された複数のユーザ情報のうち、予め定められたユーザの認証が許可された場合に、ユーザ情報記憶部１１０へのユーザ情報の追加書き込みを可能とするようにしても良い。例えば、特定の会社等の組織に対して本実施形態によるＩＣカード１００を発行する場合、その組織の特定の信頼できる人物に、ＩＣカード１００に記憶されるユーザ情報を追加、削除する権限を与える。このようにすれば、特定の識別情報に対応付けられたユーザ情報に変動がある場合でも、その変動の管理をＩＣカード発行先の組織に委譲し、委譲先でユーザの変動に応じて柔軟に登録情報の変更を行うようにすることができる。
【００３７】
また、本実施形態では、ユーザ情報を記憶する可搬媒体として、ＩＣカード１００を適用することとしたが、ＲＦＩＤなどのＩＣチップを備えた各種媒体を適用しても良いし、可搬媒体と認証装置との間の通信は、人体通信や、各種無線通信を適用して良い。
【００３８】
このように、従来、利便性向上目的やコスト低減化などにより、入退室管理の分野において非接触ＩＣカードの利用が広がってきている。また、情報漏洩防止対策等により、入退室者の記録を厳格にとることが要求されてきている。そのため、社員のみならず、入退室を行う可能性のある全ての人に対して、ＩＣカードを配布する状況となってきている。
【００３９】
従来技術では、一人のユーザが所有する複数のＩＣカードの機能を、１枚のＩＣカードで利用可能とする方法があった。しかしながら、このような従来技術では、全てのユーザにＩＣカードを配布しなければならず、配布カードの枚数を削減することが困難であることや、多量のＩＣカードを管理することが困難であることなどの問題があった。特に、業者等へ貸し出すＩＣカードでは、ユーザ毎に対応するＩＣカードを用意するのは困難であって、業者単位でのまとめ貸しがされており、実際の利用者がどのユーザであるかはシステム上では特定できない場合があった。例えば、Ｆ社に対して、「００１」から「０１０」までの識別情報をそれぞれに持つ１０枚のＩＣカードをまとめて貸したとする。ここで、ある日、Ｆ社のＸさんがＡビルへ「００１」のＩＣカードを利用して入退室、次の日、Ｆ社のＹさんがＡビルへ「００１」のＩＣカードを利用して入退室、次の日、Ｆ社のＺさんがＢビルへ「００２」のＩＣカードを利用して入退室、などとする利用があった場合でも、システム上では、全てＦ社の通行履歴として記録されていた。これを避けるためには、個人単位にＩＣカードを貸し出す方法も考えられるが、この場合、入退室の可能性のある全ての人にＩＣカードを配布する必要があり、入退室の可能性のあるゲートの全てに識別情報の有効、無効を登録しておく必要があった。
【００４０】
そこで、本実施形態によれば、複数の認証基準情報と、それに紐付く識別情報を記憶するＩＣカードを用いることにより、ＩＣカードを複数のユーザで共有でき、かつシステム上でユーザを特定することができる認証システムの提供が可能となる。さらに、このようなＩＣカードを利用して、前回までのＩＣカードの利用履歴に応じて認証処理の照合、比較順を変更する機能を備えて、認証処理における照合の高速化を図ることができる。また、このようなＩＣカードによれば、２人の認証が成功しないと開かないような２パーソンルールが適用されたセキュリティゲートにおいて、一枚のＩＣカードを用いて通行することが可能となる。
このように、本実施形態によれば、認証システムのために配布するＩＣカードの量を減らし、なおかつ通行するユーザを特定することが可能となる。さらに、ユーザ毎の識別情報のデータ数を減らすことが可能となるものである。
【図面の簡単な説明】
【００４１】
【図１】本発明の一実施形態による認証システムの端末構成を示す図である。
【図２】本発明の一実施形態によるユーザ情報記憶部に記憶されるデータ例を示す図である。
【図３】本発明の一実施形態による認証システムの動作例を示す図である。
【図４】本発明の一実施形態による認証システムの端末構成を示す図である。
【図５】本発明の一実施形態によるユーザ情報記憶部に記憶されるデータ例を示す図である。
【図６】本発明の一実施形態によるユーザ情報記憶部に記憶されるデータ例を示す図である。
【図７】従来技術によるＩＣカードに記憶されるデータ例を示す図である。
【符号の説明】
【００４２】
１００  ＩＣカード
１１０  ユーザ情報記憶部
１２０  ＩＣカード通信部
１３０  認証処理部
２００  認証装置
２１０  認証装置通信部
２２０  認証処理部
２３０  認証情報入力部
２４０  認証履歴記憶部
２５０  識別情報記憶部
３００  ゲート
【図１】
0005156443.tif 000002
【図２】
0005156443.tif 000003
【図３】
0005156443.tif 000004
【図４】
0005156443.tif 000005
【図５】
0005156443.tif 000006
【図６】
0005156443.tif 000007
【図７】
0005156443.tif 000008